(57)【要約】      （修正有）【課題】転写材の搬送を搬送手段に吸着して行う装置で、転写材を搬送する方向が上方または下方であっても、たるみを生じさせることなく転写材を搬送させ、さらに、モノクロ時に転写部の押圧を解除した時も転写材の搬送が搬送手段に吸着して行われるように、各転写手段に所定の電圧を印加して吸着搬送する転写搬送装置を提供する。【解決手段】垂直方向に配設された複数の像担持体１００ＢＫ、１００Ｃ、１００Ｍ、１００Ｙと、各像担持体に転写材を搬送する搬送手段２１０と、搬送手段に配置され、各像担持体上に形成されたトナー像を転写材に転写する転写手段３００ＢＫ、３００Ｃ、３００Ｍ、３００Ｙとを有し、転写手段の押圧画解除されたときも、各転写手段は、所定の電圧が印加され、転写材を搬送手段２１０側に吸着することを特徴とする。【選択図】図２
2013101263.tif 000002
【特許請求の範囲】
【請求項１】
垂直方向に配設された複数の像担持体と、該各像担持体に転写材を搬送する搬送手段と、前記搬送手段内に配置され、各該像担持体上に形成されたトナー像を該転写材に転写する転写手段と有し、
前記転写手段は各前記像担持体毎に設けられ、各前記転写手段は、所定の電圧が印加され、前記転写材を前記搬送手段側に吸着することを特徴とする画像形成装置。
【請求項２】
前記転写材は、長尺または所定の長さにカットされたものであることを特徴とする請求項１記載の画像形成装置。
【請求項３】
前記転写手段は、ローラからなることを特徴とする請求項１記載の画像形成装置。
【請求項４】
各前記転写手段は、前記転写材の搬送方向に、順次、高い電圧が印加されていることを特徴とする請求項１または３記載の画像形成装置。
【請求項５】
各前記転写手段には、前記搬送手段を介して、該転写手段を各々に対応した前記像担持体に押圧して、任意の色のみのトナー像を前記転写材に転写する作動手段が設けられていることを特徴等する請求項１乃至４いずれか記載の画像形成装置。
【請求項６】
前記搬送手段は、二つ以上のローラで架け渡されたループ状のベルトからなり、
前記像担持体は、前記転写材の搬送方向に、イエロー、マゼンダ、シアン、ブラックの順に配置され、
前記作動手段は、
前記ベルトに接した状態且つ所定圧で、ブラックの前記像担持体に対応した前記転写手段を該像担持体に押圧または押圧の解除を行う第一作動手段と、前記ベルトに接した状態且つ所定圧で、イエロー、マゼンダ、シアンの各前記像担持体に対応した前記転写手段を各該像担持体に押圧または押圧の解除を行う第二作動手段とからなることを特徴とする請求項1乃至５いずれか記載の画像形成装置。
【発明の詳細な説明】
【技術分野】
【０００１】
本発明は、多色のトナーを転写材に転写する画像形成装置に関するものである。
【背景技術】
【０００２】
多色のトナーを転写材に転写する画像形成装置の構成として、特許文献１がある。特許文献１の構成は、図１に示すように、転写材を垂直方向に搬送する搬送転写ベルト８と、搬送ベルト８に沿ってイエロー、マゼンダ、シアン、ブラックの順に垂直に配置された画像形成部と、転写材を搬送転写ベルトに吸着させる吸着部材１１とからなる。
【０００３】
この構成のもと、転写材は、任意の画像形成部に形成されたトナー像が転写され、転写材に画像が形成される。この時、転写材は、吸着部材１１により搬送転写ベルト８に吸着しながら、搬送されている。
【０００４】
特許文献１は、使用しない色がある場合、その色に対応した画像形成部の像担持体に接触して転写材が搬送される構成となるため、使用しない色の像担持体が摩耗したり、転写材に転写されたトナー像が、トナー像が形成されない画像形成部の像担持体に転写したりしてしまうという問題がある。
【０００５】
このため、特許文献２の図４に示すように、使用しない色の画像形成部を搬送転写ベルトから離間させて、使用しない色の像担持体に転写材を接しないようにすることにより、問題を解決している。
【０００６】
【特許文献１】特開２００１−１８８４１９号公報
【特許文献２】特開平５−３２３７８１号公報
【発明の開示】
【発明が解決しようとする課題】
【０００７】
しかし、特許文献１の構成に特許文献２の構成を採用した構成は、使用する色が一色である場合、長尺や幅広の転写材に適用した場合、転写材の自重によって、先端が下に落ちてしまったり、または搬送転写ベルトと使用しない色の画像形成部との空間に転写材が入り込んでしまったりしてしまう。
【０００８】
この結果、画像形成部に摺った状態で転写材が搬送され、転写材に形成されたトナー像が壊れてしまうという問題が生じてしまう。
【課題を解決するための手段】
【０００９】
上記問題を解決するために、本発明は、請求項１の発明では、垂直方向に配設された複数の像担持体と、該各像担持体に転写材を搬送する搬送手段と、各該像担持体上に形成されたトナー像を該転写材に転写する転写手段とからなり、転写手段は、所定の電圧が印加され、転写材を搬送手段側に吸着することを特徴とする。
【００１０】
請求項２の発明は、転写材を、長尺または所定の長さにカットされたものとし、請求項３の発明は、転写手段を、搬送手段内に配置されたローラからなること特徴とする。さらに、請求項４の発明は、各転写手段に、転写材の搬送方向に、順次、高い電圧を印加することを特徴とする。
【００１１】
請求項５記載の発明は、各前記像担持体に、任意の色のみのトナー像を転写材に転写する作動手段が設けられていることを特徴等する。また、請求項６記載の発明は、前記搬送手段は、二つ以上のローラで架け渡されたループ状のベルトからなり、像担持体は、転写材の搬送方向に、イエロー、マゼンダ、シアン、ブラックの順に配置され、作動手段は、ベルトに接した状態且つ所定圧で、ブラックの像担持体に対応した転写手段を該像担持体に押圧または押圧の解除を行う第一作動手段と、ベルトに接した状態且つ所定圧で、イエロー、マゼンダ、シアンの各像担持体に対応した転写手段を各該像担持体に押圧または押圧の解除を行う第二作動手段とからなることを特徴とする。
【発明の効果】
【００１２】
本発明は、上記構成により、転写材の搬送が搬送手段に吸着して行われるため、転写材を搬送する方向が上方または下方であっても、たるみを生じさせることなく転写材を搬送することができる。さらに、ユニット部と解除部とからなる作動手段を備えることにより、先に述べた効果を得ながら、転写材に転写されたトナー像を壊すことなく次の工程に搬送することができる。
【図面の簡単な説明】
【００１３】
【図１】本発明の概略図。
【図２】本発明の主要部の動作を示す図。
【図３】本発明の主要部の動作を示す図。
【発明を実施するための最良の形態】
【００１４】
以下、本発明の実施の形態を図面に基づいて説明する。図１に、本発明の概略図を示す。この装置は、複数の像担持体（１００Ｙ、１００Ｍ、１００Ｃ、１００Ｂｋ）と、各像担持体（１００Ｙ、１００Ｍ、１００Ｃ、１００Ｂｋ）に転写材Ｐを搬送する搬送手段２００と、各該像担持体（１００Ｙ、１００Ｍ、１００Ｃ、１００Ｂｋ）上に形成されたトナー像を該転写材Ｐに転写する転写手段（３００Ｙ、３００Ｍ、３００Ｃ、３００Ｂｋ）とからなる。
【００１５】
搬送手段２００は、ループ状のベルト２１０（無端ベルト）と駆動ユニット２２０従動ローラ２３０とからなり、垂直方向に配置されている。駆動ユニット２２０と従動ローラ２３０とによって、ベルト２１０は、張力がかかった状態で掛け渡されている。駆動ユニット２２０は、二つのローラ（２２１、２２２）からなり、一方のローラ２１１には、ベルト２１０の蛇行の矯正を行う矯正手段５００が設けられている。
【００１６】
また、ベルト２１０は、後に述べる作動手段４００による転写手段（３００Ｙ、３００Ｍ、３００Ｃ、３００Ｂｋ）の押圧が解除された時に、一定の張力が作用するように図示しない付勢手段による付勢されている。さらに、搬送手段２００の上流には、図示しない給紙手段から転写材Ｐを搬送手段２００側に繰り出す案内ローラ７００が配置されるとともに、搬送手段２００の下流には、転写材Ｐに転写されたトナー像を定着する定着手段８００が配置されている。
【００１７】
転写材Ｐの搬送経路は、案内ローラから転写材Ｐを像担持体（１００Ｙ、１００Ｍ、１００Ｃ、１００Ｂｋ）側に送る第一搬送経路Ｓ１と、転写材Ｐにトナー像を形成する搬送手段２００となる第二搬送経路Ｓ２と、トナー像が形成された転写材Ｐを搬送手段２００から次工程に送る第三搬送経路Ｓ３とからなる。転写材Ｐは、案内ローラ７００と定着手段８００とにより保持されている。転写材Ｐは、図示しない給紙手段から案内ローラにより、順次繰り出され、第二搬送経路Ｓ２側に送られていく。
【００１８】
像担持体（１００Ｙ、１００Ｍ、１００Ｃ、１００Ｂｋ）は、転写材Ｐに転写するトナー像を形成するものであり、転写材Ｐの搬送方向の順に、垂直に、イエローＹ、マゼンタＭ、シアンＣ、ブラックＢＫが並列に転写ベルト２１０に配置されている。さらに、各像担持体（１００Ｙ、１００Ｍ、１００Ｃ、１００Ｂｋ）の周辺には、除電装置１０と帯電装置２０と露光装置３０と現像装置４０とクリーニング装置５０が配置されている。
【００１９】
なお、この実施の形態では、各色の混色が生じたとしても、余り目立たないようにするために、転写材Ｐの搬送方向の順に、垂直に、イエローＹ、マゼンタＭ、シアンＣ、ブラックＢＫ順に配置されているが、これに限定されることはなく、ブラックＢＫ、シアンＣ、マゼンタＭ、イエローＹとしてもよい。
【００２０】
転写手段３００は、先に述べたように、像担持体１００に形成されたトナー像を転写するものであり、各色の像担持体（１００Ｙ、１００Ｍ、１００Ｃ、１００Ｂｋ）毎に搬送手段２００内に配置されている。各転写手段（３００Ｙ、３００Ｍ、３００Ｃ、３００Ｂｋ）は、所定の電圧が印加されるように、図示しない電源に接続されている。また、各転写手段（３００Ｙ、３００Ｍ、３００Ｃ、３００Ｂｋ）は、ローラからなり、作動手段４００により、ベルト２１０を介して所定圧で像担持体（１００Ｙ、１００Ｍ、１００Ｃ、１００Ｂｋ）に押圧するように構成されている。
【００２１】
各転写手段（３００Ｙ、３００Ｍ、３００Ｃ、３００Ｂｋ）に印加する電圧は略均一に設定されているが、転写材Ｐの搬送方向に、順次、高い電圧を印加してもよい。この設定は、例えば、印加する電圧が略均一に設定されている状態で、転写材Ｐに転写されたトナー上に新たなトナーが転写された場合、重なったトナー分だけ新しく転写されたトナーの付着力が弱くなってしまう。このため、転写材Ｐの搬送方向に、順次、高い電圧を印加することにより、重なったトナー分だけの付着力が補填される。  
【００２２】
作動手段４００は、ベルト２１０を介して、任意の転写手段３００を所定圧で像担持体１００に押圧するものである。作動手段４００は、Ｂｋ色の像担持体１００Ｂｋに対応した転写手段３００Ｂｋを所定圧で像担持体１００Ｂｋに押圧または解除する第一作動手段４１０と、ＹＭＣの各色の像担持体（１００Ｙ、１００Ｍ、１００Ｃ）に対応した転写手段（３００Ｙ、３００Ｍ、３００Ｃ）を同時に所定圧で像担持体（１００Ｙ、１００Ｍ、１００Ｃ）に押圧または解除する第二作動手段４２０とを備える。
【００２３】
第一作動手段４１０は、駆動源（図示せず）とカム４１１と連結部材４３０ａと連接部材４４０ａと押圧部材４５０Ｂｋとからなる。駆動源（図示せず）は、駆動力を発生させるものである。この駆動力は、像担持体１００Ｂｋに対して転写手段３００Ｂｋを所定圧に押圧させる。駆動源（図示せず）には駆動軸６００が設けられ、この駆動軸６００にはカム４１１が圧入されている。
【００２４】
カム４１１は、駆動源（図示せず）の作用を揺動動作に変換するものであり、回転部４１１ａとリンク部４１１ｂとからなる。回転部４１１ａとリンク部４１１ｂとの間に軸受が介在されている。回転部４１１ａは駆動軸６００に圧入されている。リンク部４１１ｂは、レバーの形状を成し、連結部材４３０ａに連結されている。
【００２５】
連結部材４３０ａは、カム４１１の動作を伝達するものであり、一端が連接部材４４０ａに接続されて軸支されている。連接部材４４０ａは、連結部材４３０ａを介して、カム４１１の揺動動作を直線運動に変換するものであり、板状の部材からなる。
【００２６】
押圧部材４５０Ｂｋは、転写手段３００Ｂｋを押圧する部材であり、Ｌ字状に形成され、押圧部材４５０Ｂｋの中心は搬送手段２００のフレーム（図示せず）に軸支されている。さらに、押圧部材４５０Ｂｋの一端は転写手段３００Ｂｋを軸支している。
【００２７】
一方、押圧部材４５０Ｂｋの他端は、連接部材４４０ａの他端にバネ等からなる第一付勢手段４６０により連結されている。第一付勢手段４６０は、駆動源（図示せず）の駆動力を解除し、搬送手段２００が像担持体１００Ｂｋから離れた時に、転写手段３００Ｂｋが搬送手段２００に所定圧（ベルト２１０を介して、像担持体１００Ｂｋと転写手段３００Ｂｋ）が圧接した力よりも弱い）で接した状態となるように付勢するものである。図２に示すように、具体的に、第一付勢手段４６０は、駆動源（図示せず）の駆動力とは反対（矢印Ａ）方向に付勢されている。
【００２８】
さらに、第二作動手段４２０は、第一作動手段４１０と同様に、駆動源（図示せず）とカム４１１と連結部材４３０ｂと連接部材４４０ｂと押圧部材（４５０Ｙ、４５０Ｍ、４５０Ｃ）とからなる。なお、駆動源（図示せず）とカム４１１と押圧部材（４５０Ｙ、４５０Ｍ、４５０Ｃ）は同じ構成なので説明を省略する。
【００２９】
連結部材４３０ｂは、第一連結部材４３０ｂ１と第二連結部材４３０ｂ２との二つからなり、これら部材は、第一作動手段４１０で述べた連結部材４３０ａと同じ形状となっている。
【００３０】
第一連結部材４３０ｂ１は、第一作動手段４１０の連結部材４３０ａと同様に、搬送手段２００のフレーム（図示せず）に軸支され、一端がリンク部４１１ｂに連結され、他端が連接部材４４０ｂに連結されている。さらに、第二連結部材４３０ｂ２は、搬送手段２００のフレームに軸支され、一端が連接部材４４０ａの端部Ａに連結されている。
【００３１】
連接部材４４０ｂは、ベルト２１０の移動方向に沿って延びた板状の部材からなり、前に述べたように、第一連結部材４３０ｂ１と第二連結部材４３０ｂ２とにより、揺動可能に軸支されている。さらに、連接部材４４０ａには、押圧部材（４５０Ｙ、４５０Ｍ、４５０Ｃ）を取り付ける取付部４８０が設けられている。なお、この取付部は、Ｂｋの押圧部材４５０Ｂｋにも設けられている。
【００３２】
取付部４８０は、押圧部材（４５０Ｙ、４５０Ｍ、４５０Ｃ、４５０Ｂｋ）の他端の両側をバネ等からなる第二付勢手段４７０に連結されるように形成されている。具体的には、図２、３に示すように、各第二付勢手段４７０の先端が引っ掛かるようにフック状になっている。
【００３３】
第二付勢手段４７０は、シートの搬送方向上流側に配置される第一バネ部４７０ａと、シートの搬送方向下流側に配置される第二バネ部４７０ｂとからなる。第一バネ部４７０ａと第二バネ部４７０ｂは、互いが押圧部材（４５０Ｙ、４５０Ｍ、４５０Ｃ）を引っ張り合うように付勢（矢印Ｂ）されている。
【００３４】
また、この付勢力は、駆動源（図示せず）の駆動力を解除し、搬送手段２００（搬送手段も含む）が像担持体（１００Ｙ、１００Ｍ、１００Ｃ）から離れた時に、転写手段（３００Ｙ、３００Ｍ、３００Ｃ）が搬送手段２００のベルト２１０に所定圧で接した状態となるようにするため、第一バネ部４７０ａの付勢力が第二バネ部４７０ｂの付勢力よりも大きくなるように設定されている。
【００３５】
以上の構成のもと、本発明の画像形成装置の動作を説明する。先ず、フルカラーの画像を転写材Ｐに形成する場合には、図示しない各駆動源を作動させて、第一連結部材４３０ｂ１および第二連結部材４３０ｂ２を各々、矢印方向Ｃに揺動させる。
【００３６】
この動作により、各色に対応した転写手段（３００Ｙ、３００Ｍ、３００Ｃ、３００Ｂｋ）は、ベルト２１０を介して、所定圧で各像担持体（１００Ｙ、１００Ｍ、１００Ｃ、１００Ｂｋ）に押圧し、搬送された転写材Ｐに各色のトナー像が転写される。
【００３７】
次に、転写材Ｐに黒色のトナー像のみを転写する場合には、駆動源（図示せず）を切り、第二作動手段４２０の作動を停止して、黒色以外の像担持体（１００Ｙ、１００Ｍ、１００Ｃ）に作用する黒色以外の各転写手段（３００Ｙ、３００Ｍ、３００Ｃ）への押圧力を解除する。
【００３８】
この時、第二付勢手段４７０により、矢印Ｂに付勢して、各色に対応した転写手段（３００Ｙ、３００Ｍ、３００Ｃ、３００Ｂｋ）が搬送手段２００のベルト２１０に接した状態で、搬送手段２００のベルト２１０は黒色以外の像担持体（１００Ｙ、１００Ｍ、１００Ｃ、１００Ｂｋ）から離れる。これにより、黒色以外の色に対応する像担持体（１００Ｙ、１００Ｍ、１００Ｃ、１００Ｂｋ）が所定圧でベルト２１０に接することなく、転写材Ｐに黒色のトナー像のみを転写することができる。
【００３９】
また、これとは、逆に、転写材Ｐに黒色のトナー像以外の色のトナー像を転写する場合には、駆動源（図示せず）を切り、第一作動手段４１０の作動を停止する。この作動の停止により、黒色の像担持体（１００Ｙ、１００Ｍ、１００Ｃ、１００Ｂｋ）に作用する転写手段（３００Ｙ、３００Ｍ、３００Ｃ、３００Ｂｋ）への押圧力が解除される。
【００４０】
この時、第一付勢手段４６０により、矢印Ｃに付勢して、黒色に対応した転写手段（３００Ｙ、３００Ｍ、３００Ｃ、３００Ｂｋ）が搬送手段２００のベルト２１０に接した状態で、搬送手段２００のベルト２１０は黒色に対応した像担持体（１００Ｙ、１００Ｍ、１００Ｃ、１００Ｂｋ）から離れる。この結果、転写材Ｐに黒色に対応する像担持体（１００Ｙ、１００Ｍ、１００Ｃ、１００Ｂｋ）が所定圧でベルト２１０に接することなく、黒色以外の色のトナー像のみを転写することができる。
【００４１】
また、給紙部分や定着部分でジャムが発生し、これに対応したジャム処理を行う場合、図３に示すように、図示しない操作部により、駆動ユニット２２０を矢印Ｅ方向に揺動させて、ベルト２１０から各像担持体（１００Ｙ、１００Ｍ、１００Ｃ、１００Ｂｋ）から離れるようとする。
【００４２】
この時、第一付勢手段４７０および第二付勢手段４７０の付勢力により、転写手段（３００Ｙ、３００Ｍ、３００Ｃ、３００Ｂｋ）がベルト２１０に常に接する。さらに、これに加えて、転写材Ｐがベルト２１０に吸着した状態となるため、転写材Ｐを落下させることなくジャム処理を行うことができる。
【符号の説明】
【００４３】
１００  像担持体
２００  搬送手段
３００  転写手段
３１０  ベルト
４００  作動手段
４１０  第一作動手段
４２０  第二作動手段
Ｐ      転写材
【図１】
2013101263.tif 000003
【図２】
2013101263.tif 000004
【図３】
2013101263.tif 000005